(57)【要約】【課題】本発明は、一部の収容空間を空の状態で使用しても品物を確実に保持できる仕切体を提供することを課題とする。【解決手段】本発明の仕切体用シートは、１枚の段ボールシートからなり、縦方向に略対称に配設され、複数の折り曲げ容易線によって横方向に５つの仕切領域に区分される第１仕切形成部及び第２仕切形成部と、上記第１仕切形成部及び第２仕切形成部の横方向奇数位置の仕切領域間を接続する３つの底形成部と、を備える仕切体用シートであって、上記第１仕切形成部の両端の仕切領域の底形成部と反対側の部分が、隣接する仕切領域から分離され、第２仕切形成部の対向する仕切領域に向かって折り曲げ可能なフラップであり、上記フラップの先端に縦方向に突出する係合片が形成され、上記第２仕切形成部の横方向両端の仕切領域に、横方向に伸び、上記係合片が係合可能なスリットが形成されていることを特徴とする。【選択図】図１
2017222411.tif 000002
【特許請求の範囲】
【請求項１】
１枚の段ボールシートからなり、
縦方向に略対称に配設され、複数の折り曲げ容易線によって横方向に５つの仕切領域に区分される第１仕切形成部及び第２仕切形成部と、
上記第１仕切形成部及び第２仕切形成部の横方向奇数位置の仕切領域間を接続する３つの底形成部と、
を備える仕切体用シートであって、
上記第１仕切形成部の両端の仕切領域の底形成部と反対側の部分が、隣接する仕切領域から分離され、第２仕切形成部の対向する仕切領域に向かって折り曲げ可能なフラップであり、
上記フラップの先端に縦方向に突出する係合片が形成され、
上記第２仕切形成部の横方向両端の仕切領域に、横方向に伸び、上記係合片が係合可能なスリットが形成されていることを特徴とする仕切体用シート。
【請求項２】
中央の上記底形成部が、第１仕切形成部側に偏重して横方向両側に突出する１対の第１舌片を有し、
両端の上記底形成部が、第２仕切形成部側に偏重して横方向内側に突出する第２舌片と、第１仕切形成部側に突出する第３舌片とを有する請求項１に記載の仕切体用シート。
【請求項３】
上記係合片が第１仕切形成部の横方向両端部に形成され、上記スリットが第２仕切形成部の側方に開口する請求項１又は請求項２に記載の仕切体用シート。
【請求項４】
上記第２仕切形成部の両端の仕切領域の底形成部と反対側の部分が、第１仕切形成部と同様に係合片を有するフラップとされ、
上記第１仕切形成部に第２仕切形成部と同様のスリットが形成され、
上記フラップの基端縁が罫線によって画定され、
上記スリットが上記罫線の底形成部側に連続するよう形成されている請求項１、請求項２又は請求項３に記載の仕切体用シート。
【請求項５】
請求項１から請求項４のいずれか１項に記載の仕切体用シートと、
上記仕切体用シートを組み立てた仕切体を収容可能な段ボール箱に組み立て可能な段ボール箱用シートとを備える包装資材セット。
【発明の詳細な説明】
【技術分野】
【０００１】
本発明は、仕切体用シート及び包装資材セットに関する。
【背景技術】
【０００２】
段ボール箱の内部空間を縦横に区分して複数の収容空間を形成するために、段ボールシートから形成される仕切体が広く利用されている。
【０００３】
中でも、例えば飲料、酒類等の瓶を複数収容する場合、複数の瓶を個別に収容する空間を形成する仕切体の使用が必須といっても過言ではない。一般に、瓶は、６本（半ダース）又は１２本（１ダース）を１つの段ボール箱に収容することが多い。
【０００４】
ところが、近年、インターネットショッピングの普及により、より少数の瓶を１つの箱に収容したり、複数種類の瓶を１つの箱に収容したりして、例えば宅配便等を用いて配送する場合が増加している。
【０００５】
従来の仕切体では、形成される収容空間のいずれかに何も収容しない空の状態で使用すると、瓶の重さにより仕切板が折れ曲がって瓶が隣接する収容空間に移動可能となり、輸送時の振動等によって瓶が損傷するおそれがある。このため、少数の瓶を配送する場合、瓶を収容しない収容空間には例えば新聞紙等を詰め込んで、仕切板が折れ曲がらないようにする必要がある。
【０００６】
一方、１つの箱に、高さの異なる瓶を収容し易くするために、仕切板の一部分を折り曲げて収容空間の中蓋を形成する組仕切が提案されている（特開２０１１−２１９１２７号公報参照）。この組仕切では、中蓋を形成した収容空間を空の状態とし、他の収容空間に瓶を収容した場合に、中蓋を形成した収容空間を画定する仕切板が折れ曲がって、瓶が中蓋を形成した収容空間に移動することを防止できると考えられる。
【０００７】
しかしながら、上記公報に記載の仕切体は、仕切板のうちで中蓋を形成した空間を画定する部分のみを補強することができ、他の収容空間を空の状態で使用すると仕切板の折れ曲がりによって瓶を確実に保持することができない。
【先行技術文献】
【特許文献】
【０００８】
【特許文献１】特開２０１１−２１９１２７号公報
【発明の概要】
【発明が解決しようとする課題】
【０００９】
上記不都合に鑑みて、本発明は、一部の収容空間を空の状態で使用しても品物を確実に保持できる仕切体及び包装資材セットを提供することを課題とする。
【課題を解決するための手段】
【００１０】
上記課題を解決するためになされた発明は、１枚の段ボールシートからなり、縦方向に略対称に配設され、複数の折り曲げ容易線によって横方向に５つの仕切領域に区分される第１仕切形成部及び第２仕切形成部と、上記第１仕切形成部及び第２仕切形成部の横方向奇数位置の仕切領域間を接続する３つの底形成部と、を備える仕切体用シートであって、上記第１仕切形成部の両端の仕切領域の底形成部と反対側の部分が、隣接する仕切領域から分離され、第２仕切形成部の対向する仕切領域に向かって折り曲げ可能なフラップであり、上記フラップの先端に縦方向に突出する係合片が形成され、上記第２仕切形成部の横方向両端の仕切領域に、横方向に伸び、上記係合片が係合可能なスリットが形成されていることを特徴とする仕切体用シートである。
【００１１】
当該仕切体用シートは、上記第１仕切形成部の両端の仕切領域の底形成部と反対側の部分が、隣接する仕切領域から分離され、第２仕切形成部の対向する仕切領域に向かって折り曲げて先端を対向する仕切領域のスリットに係合できるフラップとされていることによって、当該仕切体用シートを組み立ててなる仕切体において、フラップを折り曲げるだけで係合片をスリットに係合させて、両端の仕切領域が対向する仕切形成部側に折れ曲がることを防止できる。また、当該仕切体用シートにおいて、横方向内側３つの仕切領域は、横方向両側の側縁が隣接する仕切領域に保持されることで折れ曲がり難い。このため、当該仕切体用シートを組み立ててなる仕切体は、各仕切領域が折れ曲がり難いので、これらの仕切領域によって画定される複数の収容空間のうちの一部を空の状態で使用しても、品物が隣接する収容空間に移動することに起因する物品の損傷を防止できる。
【００１２】
中央の上記底形成部が、第１仕切形成部側に偏重して横方向両側に突出する１対の第１舌片を有し、両端の上記底形成部が、第２仕切形成部側に偏重して横方向内側に突出する第２舌片と、第１仕切形成部側に突出する第３舌片とを有するとよい。このように、第１舌片、第２舌片及び第３舌片を有することによって、フラップを有する第１仕切形成部の両端の仕切領域が第２仕切形成部の中央の仕切領域に隣接して横方向両側の空間を区分するよう組み立てられることで、それぞれ底部を有する６つの収容空間を形成する仕切体を構成することができる。また、この仕切体は、フラップを第２仕切形成部の仕切領域のスリットに係合させることで、第１仕切形成部の横方向偶数位置の仕切領域が内側に折れ曲がることをより確実に防止することができる。
【００１３】
上記係合片が第１仕切形成部の横方向両端部に形成され、上記スリットが第２仕切形成部の側方に開口するとよい。このように、上記係合片が第１仕切形成部の横方向両端部に形成され、上記スリットが第２仕切形成部の側方に開口することによって、第１仕切形成部及び第２仕切形成部の両端の仕切領域の撓みにより係合片を比較的容易にスリットに係合させられる。
【００１４】
上記第２仕切形成部の両端の仕切領域の底形成部と反対側の部分が、第１仕切形成部と同様に係合片を有するフラップとされ、上記第１仕切形成部に第２仕切形成部と同様のスリットが形成され、上記フラップの基端縁が罫線によって画定され、上記スリットが上記罫線の底形成部側に連続するよう形成されているとよい。このように、第１仕切形成部及び第２仕切形成部の両方の仕切領域に係合片を有するフラップと係合片を係止するスリットとが形成されていることにより、第１仕切形成部及び第２仕切形成部のいずれのフラップを使用することもできるので利便性が向上する。
【００１５】
また、上記課題を解決するためになされた別の発明は、当該仕切体用シートと、上記仕切体用シートを組み立てた仕切体を収容可能な段ボール箱に組み立て可能な段ボール箱用シートとを備える包装資材セットである。
【００１６】
当該包装資材セットは、上述のように、各仕切領域が折れ曲がり難い仕切体に組み立てられる当該仕切体用シートと、この仕切体を収容可能な段ボール箱に組み立て可能な段ボール箱用シートとを備えるので、段ボール箱の仕切体によって画定される複数の収容空間のうちの一部を空の状態で使用しても、品物が隣接する収容空間に移動して損傷することを防止できる。
【発明の効果】
【００１７】
以上のように、本発明の仕切体用シート及び包装資材セットは、一部の収容空間を空の状態で使用しても品物を確実に保持できる。
【図面の簡単な説明】
【００１８】
【図１】本発明の一実施形態に係る仕切体用シートを示す模式的平面図（展開図）である。
【図２】図１の仕切体用シートの組み立て工程を示す模式的斜視図である。
【図３】図１の仕切体用シートの図２の次の組み立て工程を示す模式的斜視図である。
【図４】図１の仕切体用シートを組み立ててなる仕切体を示す模式的斜視図である。
【図５】本発明一実施形態に係る包装資材セットを組み立ててなる包装容器の模式的斜視図である。
【図６】図５の包装容器の模式的平面図である。
【発明を実施するための形態】
【００１９】
以下、適宜図面を参照しつつ、本発明の実施の形態を詳説する。
【００２０】
［仕切体用シート］
図１に、本発明の一実施形態に係る仕切体用シート１を示す。当該仕切体用シート１は、１枚の段ボールシートからなる。当該仕切体用シート１において、段ボールシートは、中芯の稜線が図１において上下方向に伸びるよう配置されている。なお、図において、太い実線は段ボールシートを切断したエッジを示し、細い実線は段ボールシートに筋押しして形成した罫線を示す。
【００２１】
当該仕切体用シート１を形成する段ボールシートとしては、１枚の中芯の両側を１対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２２】
当該仕切体用シート１は、縦方向に略対称に配設される略鏡写し方形状の第１仕切形成部２及び第２仕切形成部３と、第１仕切形成部２及び第２仕切形成部３間を接続する３つの底形成部４，５，６とを備える。第１仕切形成部２及び第２仕切形成部３と底形成部４，５，６との境界は折り曲げ容易線によって画定される。
【００２３】
第１仕切形成部２及び第２仕切形成部３は、複数の互いに平行な折り曲げ容易線によって横方向に５つの仕切領域（第１仕切領域２ａ、第２仕切領域２ｂ、第３仕切領域２ｃ、第４仕切領域２ｄ及び第５仕切領域２ｅ、並びに第１仕切領域３ａ、第２仕切領域３ｂ、第３仕切領域３ｃ、第４仕切領域３ｄ及び第５仕切領域３ｅ）に区分される。
【００２４】
第１仕切形成部２及び第２仕切形成部３と底形成部４，５，６との境界を画定する折り曲げ容易線、並びに第１仕切形成部２及び第２仕切形成部３を５つの仕切領域に区分する折り曲げ容易線は、段ボールシートに筋押ししてなる罫線、ミシン目状の切り込み、部分的なスリット及びこれらの組み合わせから形成することができる。
【００２５】
上記底形成部４，５，６は、上記第１仕切形成部２及び第２仕切形成部３の横方向奇数位置の仕切領域間を接続する。具体的には、横方向一方側の底形成部４は、第１仕切形成部２の第１仕切領域２ａと第２仕切形成部３の第１仕切領域３ａとを接続し、横方向中央の底形成部５は、第１仕切形成部２の第３仕切領域２ｃと第２仕切形成部３の第３仕切領域３ｃとを接続し、横方向他方側の底形成部６は、第１仕切形成部２の第５仕切領域２ｅと第２仕切形成部３の第５仕切領域３ｅとを接続する。
【００２６】
〔仕切領域〕
縦方向に対向し合う第１仕切領域２ａ，３ａ、第２仕切領域２ｂ，３ｂ、第３仕切領域２ｃ，３ｃ、第４仕切領域２ｄ，３ｄ及び第５仕切領域２ｅ，３ｅは、それぞれ横方向の幅（折り曲げ容易線の間隔）が等しい。また、横方向に対象位置にある第１仕切領域２ａ，３ａ及び第５仕切領域２ｅ，３ｅ、並びに第２仕切領域２ｂ，３ｂ及び第４仕切領域２ｄ，３ｄは、横方向の幅が等しいことが好ましい。典型的には、すべての仕切領域２ａ，２ｂ，２ｃ，２ｄ，２ｅ，３ａ，３ｂ，３ｃ，３ｄ，３ｅは、略等しい幅に形成される。なお、「略等しい幅」とは、任意の仕切領域間の幅の差の最大値が段ボールシートの平均厚さの３倍以下、より好ましくは２倍以下であることを意味する。
【００２７】
第１仕切形成部２及び第２仕切形成部３の横方向両端の仕切領域２ａ，２ｅ及び仕切領域３ａ，３ｅは、底形成部と反対側の部分が、隣接する仕切領域２ｂ，２ｄ及び仕切領域３ｂ，３ｄから分離され、対向する第２仕切形成部３の仕切領域３ａ，３ｅ又は第１仕切形成部２の仕切領域２ａ，２ｅに向かって折り曲げ可能なフラップ７とされている。これらフラップ７の基端縁は、段ボールシートに筋押しして形成される罫線８によって画定されるとよい。
【００２８】
＜フラップ＞
フラップ７は、先端（底形成部４，５，６と反対側の端部）に縦方向に突出する係合片９が形成されている。具体的には、フラップ７は、係合片９を残すよう縦方向先端部が部分的に切り欠かれているとよい。また、係合片９は、フラップ７の先端部に１又は複数の切り込み形成し、先端部を部分的に折り曲げることで形成されてもよい。
【００２９】
また、第１仕切形成部２及び第２仕切形成部３の両端の仕切領域２ａ，２ｅ，３ａ，３ｅは、横方向に伸び、対向する仕切領域の係合片９が係合可能なスリット１０が形成されている。
【００３０】
フラップ７の係合片９を除く部分の縦方向の平均長さは、第２仕切領域２ｂ，３ｂ及び第４仕切領域２ｄ，３ｄの幅と略等しいことが好ましい。フラップ７の係合片９以外の部分の先端縁は、横方向外側程フラップ７の長さが大きくなるよう僅かに傾斜していてもよい。このよう、フラップ７の係合片９以外の部分の先端縁を傾斜させることによって、当該仕切体用シート１を組み立ててなる仕切体が変形したときに係合片９がスリット１０から脱離することを抑制できる。
【００３１】
このフラップ７先端縁の傾斜角度の下限としては、１°が好ましく、２°がより好ましい。一方、上記フラップ７先端縁の傾斜角度の上限としては、５°が好ましく、４°がより好ましいとすることができる。上記フラップ７先端縁の傾斜角度が上記下限に満たない場合、係合片９のスリット１０からの脱離を抑制する効果が不十分となるおそれがある。逆に、上記フラップ７先端縁の傾斜角度が上記上限を超える場合、第２仕切形成部３の第１仕切領域３ａ及び第２仕切領域３ｂ間の平面視での角度並びに、第２仕切形成部３の第４仕切領域３ｄ及び第５仕切領域３ｅ間の角度を保持し難くなるおそれがある。
【００３２】
（係合片）
係合片９は、当該仕切体用シート１の組み立て状態において、スリット１０に係合することによって、フラップ７を仕切領域２ａ，２ｂ，２ｃ，２ｄ，２ｅ，３ａ，３ｂ，３ｃ，３ｄ，３ｅに対して略垂直に保持する。
【００３３】
係合片９は、第１仕切形成部２及び第２仕切形成部３の横方向両端部に形成されることが好ましい。このように、係合片９を第１仕切形成部２及び第２仕切形成部３の横方向両端部に配置することによって、第１仕切領域２ａ，３ａ及び第５仕切領域２ｅ，３ｅ等を撓ませて係合片９をスリット１０に係合させることが比較的容易となる。また、係合片９を第１仕切形成部２及び第２仕切形成部３の横方向両端部に配置することによって、スリット１０に係合可能な係合片９の長さを比較的大きくすることができる。
【００３４】
係合片９は、先端側が基端側よりも小さい台形状であることが好ましい。このように係合片９を台形状に形成することによって、スリット１０への挿入が比較的容易となる。このように係合片９を台形状に形成する場合、先端側の上底の長さの基端側の下底の長さに対する比としては、例えば０．７以上０．９以下とすることができる。
【００３５】
この係合片９の平均幅の下限としては、第１仕切領域２ａ，３ａ及び第５仕切領域２ｅ，３ｅの幅の１５％が好ましく、２０％がより好ましい。一方、係合片９の平均幅の上限としては、第１仕切領域２ａ，３ａ及び第５仕切領域２ｅ，３ｅの幅の４０％が好ましく、３５％がより好ましい。係合片９の平均幅が上記下限に満たない場合、係合片９の強度が不足してフラップ７を保持することができないおそれがある。逆に、係合片９の平均幅が上記上限を超える場合、係合片９をスリット１０に係合させることが容易でなくなるおそれがある。
【００３６】
（スリット）
スリット１０は、フラップ７の基端縁を画定する罫線８の底形成部４，５，６側に連続するよう形成される。換言すると、スリット１０の仕切領域先端側の側縁は、罫線８の延長線上に形成されている。これにより、第１仕切形成部２及び第２仕切形成部３のフラップ７を対称に形成した場合に、第１仕切形成部２及び第２仕切形成部３のいずれのフラップ７を使用する場合にも、フラップ７を仕切領域２ａ，２ｂ，２ｃ，２ｄ，２ｅ，３ａ，３ｂ，３ｃ，３ｄ，３ｅに対して略垂直に保持することができる。
【００３７】
また、スリット１０は、係合片９が横方向両端部に配設されている場合、これに対応するよう第１仕切形成部２及び第２仕切形成部３の側方に開口するとよい。このように、スリット１０が第１仕切形成部２及び第２仕切形成部３の側方に開口することによって、係合片９のスリット１０への係合が比較的容易となる。
【００３８】
スリット１０の縦方向の平均幅の下限としては、段ボールシートの平均厚さの１．５倍が好ましく、２倍がより好ましい。スリット１０の縦方向の平均幅の上限としては、段ボールシートの平均厚さの５倍が好ましく、４倍がより好ましい。スリット１０の縦方向の平均幅が上記下限に満たない場合、係合片９を係合させることが容易でなくなるおそれがある。逆に、スリット１０の縦方向の平均幅が上記上限を超える場合、係合片９がスリット１０から脱離し易くなるおそれがある。
【００３９】
〔底形成領域〕
中央の底形成部５は、第１仕切形成部２側に偏重して横方向両側に突出する１対の第１舌片１１を有する。両端の底形成部４，６は、第２仕切形成部３側に偏重して横方向内側に突出する第２舌片１２と、第１仕切形成部２側に突出する第３舌片１３とを有する。
【００４０】
当該仕切体用シート１は、これらの舌片１１，１２，１３を有することによって、第１仕切形成部２の両端の仕切領域２ａ，２ｅを第２仕切形成部３側に突出させるよう、各仕切領域２ａ，２ｂ，２ｃ，２ｄ，２ｅ，３ａ，３ｂ，３ｃ，３ｄ，３ｅ間を折り曲げて仕切体に組み立てられる。これにより、当該仕切体用シート１を組み立ててなる仕切体は、第１仕切形成部２の中央の仕切領域２ｃ及び第２仕切形成部３の両端の仕切領域３ａ，３ｅが、段ボール箱の内壁に隣接する。
【００４１】
また、上記舌片１１，１２，１３は、当該仕切体用シート１を組み立ててなる仕切体において、第１仕切形成部２の第１仕切領域２ａ及び第２仕切領域２ｂによって画定される収容空間、第１仕切形成部２の第４仕切領域２ｄ及び第５仕切領域２ｅによって画定される収容空間、並びに第２仕切形成部３の第２仕切領域３ｂ、第３仕切領域３ｃ及び第４仕切領域３ｄによって画定される収容空間に底部を形成する。従って、当該仕切体用シート１を組み立ててなる仕切体は、画定する６つの収容空間のすべてに底部を有する。
【００４２】
〔組み立て〕
当該仕切体用シート１は、先ず、図２に示すように、底形成部４，５，６に対して第１仕切形成部２及び第２仕切形成部３を折り曲げて、第１仕切形成部２と第２仕切形成部３とを対向させる。
【００４３】
続いて、図３に示すように、第１仕切形成部２の第１仕切領域２ａ及び第２仕切領域２ｂ間、第４仕切領域２ｄ及び第５仕切領域２ｅ間を谷折り（外面側を凹状に折り曲げ）し、第１仕切形成部２の第２仕切領域２ｂ及び第３仕切領域２ｃ間、第３仕切領域２ｃ及び第４仕切領域２ｄ間を山折り（外面側を凸状に折り曲げ）する。このとき、第２仕切形成部３の第１仕切領域３ａ、第３仕切領域３ｃ及び第５仕切領域３ｅは、底形成部４，５，６によって接続されている第１仕切形成部２の第１仕切領域２ａ、第３仕切領域２ｃ及び第５仕切領域２ｅと対向する状態を保持する。従って、図示するように、第２仕切形成部３の第１仕切領域３ａ及び第２仕切領域３ｂ間、第４仕切領域３ｄ及び第５仕切領域３ｅ間は山折りされ、第２仕切形成部３の第２仕切領域３ｂ及び第３仕切領域３ｃ間、第３仕切領域３ｃ及び第４仕切領域３ｄ間は谷折りされる。これにより、当該仕切体用シート１は、段ボール箱の内部空間を平面視で、第１仕切形成部２と第２仕切形成部３との対向方向（奥行き方向）に２つ、これに垂直な方向（横方向）に３つ、合計６つの収容空間に区分する仕切体に組み立てられる。なお、第１仕切形成部２及び第２仕切形成部３の折り曲げの主従は便宜的なものであって、主従が逆であってもよく、第１仕切形成部２及び第２仕切形成部３の両方を意図的に折り曲げてもよい。
【００４４】
そして、必要に応じて、図４に示すように、第１仕切形成部２のフラップ７を折り曲げて先端の係合片９を第２仕切形成部３の対向するスリット１０に係合させる。なお、当該仕切体用シート１を組み立ててなる仕切体が画定する６つの収容空間のすべてに品物を収容する場合には、フラップ７の折り曲げは行わず、６つの収容空間のうち５つの収容空間に品物を収容する場合には、１つのフラップ７だけを折り曲げて使用する。
【００４５】
［包装資材セット］
本発明の別の実施形態に係る包装資材セットは、図１の仕切体用シート１と、図５に示すように、当該仕切体用シート１を組み立てた仕切体を収容可能な段ボール箱に組み立て可能な段ボール箱用シート２０とを備える。つまり、当該包装資材セットを組み立てることによって、図５に示す包装容器を形成することができる。
【００４６】
〔段ボール箱用シート〕
段ボール箱用シート２０は、四角筒状に組み立てられる４つの周壁２１，２２，２３，２４と、４つの周壁２１，２２，２３，２４の上縁（四角筒状部の一端側の端縁）からそれぞれ縁出する４つの蓋フラップ２５，２６，２７，２８と、４つの周壁２１，２２，２３，２４の下縁からそれぞれ縁出する４つの底フラップ２９，３０（残り２つの底フラップは図面上周壁２１，２２の後ろ側に隠れている）とを有するＡ式（ミカン箱タイプ）の段ボール箱とすることができる。
【００４７】
当該包装資材セットにおいて、当該仕切体用シート１を組み立ててなる仕切体と、段ボール箱用シート２０を組み立ててなる段ボール箱とのクリアランスは、図６に示すように、フラップ７の係合片９が第２仕切形成部３の両端の仕切領域３ａ，３ｅから突出できるよう、一般的な包装容器における組仕切と段ボール箱とのクリアランスよりも僅かに大きいことが好ましい。
【００４８】
［利点］
当該仕切体用シートは、第１仕切形成部２のフラップ７を折り曲げて先端の係合片９を第２仕切形成部３の対向するスリット１０に係合させることによって、フラップ７が第２仕切形成部３の第２仕切領域３ｂ及び第４仕切領域３ｄ、並びに段ボール箱用シート２０を組み立ててなる段ボール箱の内壁に当接することで、第１仕切形成部２の第１仕切領域２ａ及び第５仕切領域２ｅがねじれるように折れ曲がって（上部が第２仕切領域２ｂ及び第４仕切領域２ｄに対して傾斜して）、区分する２つの収容空間の間を品物が移動可能となることを防止して、品物を確実に保持する。
【００４９】
また、当該仕切体用シート１は、第１仕切形成部２のフラップ７を折り曲げて先端の係合片９を第２仕切形成部３の対向するスリット１０に係合させて使用することで、図６に示すように、フラップ７が第２仕切形成部３の第２仕切領域３ｂ及び第４仕切領域３ｄに当接し、第１仕切形成部２の第２仕切領域２ｂ及び第４仕切領域２ｄが横方向内側に移動することを防止する。
【００５０】
さらに、当該仕切体用シート１を組み立ててなる仕切体において、第１仕切領域３ａ及び第５仕切領域３ｅが段ボール箱用シート２０を組み立ててなる段ボール箱の内壁に当接することで、第２仕切形成部３の第２仕切領域３ｂ及び第４仕切領域３ｄの第３仕切領域３ｃに対する過度の傾斜が抑制される。
【００５１】
以上のように、当該仕切体用シート１を組み立ててなる仕切体は、第１仕切形成部２のフラップ７を折り曲げて先端の係合片９を第２仕切形成部３の対向するスリット１０に係合させて使用することで、６つの収容空間のいずれが空の状態で使用しても６つの収容空間の独立性が保持されるので、収容する品物の過度の移動による損傷を防止することができる。
【００５２】
また、当該仕切体用シート１は、第２仕切形成部３にもフラップ７が設けられているので、段ボール箱用シート２０を組み立ててなる段ボール箱よりも一回り小さい段ボール箱を用いる場合等、第１仕切形成部２のフラップ７を折り曲げて先端の係合片９を第２仕切形成部３の対向するスリット１０に係合させることが容易でないときに、第２仕切形成部３のフラップ７を折り曲げて先端の係合片９を第１仕切形成部２の対向するスリット１０に係合させて使用することができる。この場合、第１仕切形成部２の第２仕切領域２ｂ及び第４仕切領域２ｄ間の収容空間に品物を収容することで、第２仕切領域２ｂ及び第４仕切領域２ｄの横方向内側への移動を防止することが望ましい。
【００５３】
［その他の実施形態］
今回開示された実施の形態はすべての点で例示であって制限的なものではないと考えられるべきである。本考案の範囲は、上記実施形態の構成に限定されるものではなく、特許請求の範囲によって示され、特許録請求の範囲と均等の意味及び範囲内でのすべての変更が含まれることが意図される。
【００５４】
当該包仕切体用シートにおいて、第２仕切形成部がフラップを有せず、第１仕切形成部がスリットを有しないものであってもよい。
【００５５】
当該仕切体用シートにおいて、底形成部は舌片を有しないものであってもよい。この場合、上記実施形態において説明した第１仕切形成部及び第２仕切形成部の各仕切領域間の折り曲げ方向（山折り又は谷折り）は、逆にしても仕切体を組み立てることができる。従って、第２仕切形成部の両端の仕切領域にフラップを画定することで、第１仕切形成部及び第２仕切形成部の各仕切領域間の折り曲げ方向にかかわらず、すべての仕切領域が補強され、形成される収容空間のいずれを空にしても品物が確実に保護できる仕切体を形成することができる。
【００５６】
当該仕切体用シートを組み立ててなる仕切体のフラップの下側に高さの小さい品物を収容してもよい。
【００５７】
当該仕切体用シートにおいて、フラップ７の係合片及びこれに対応するスリットは、第１仕切形成部及び第２仕切形成部の横方向両端よりも内側に形成されてもよい。従って、スリットは閉じた長孔状であってもよい。
【００５８】
当該包装資材セットは、１つの段ボール箱用シートと、この１つの段ボール箱用シートを組み立ててなる段ボール箱の中に収容される複数の仕切体を形成する複数の当該仕切体用シートとを備えるものであってもよい。具体例として、２つの当該仕切体用シートを組み立ててなる２つの仕切体を１つの段ボールの中に収容することで、段ボール箱の内部空間を奥行き方向に４つ、横方向に３つの合計１２の収容空間に区分することができる。
【００５９】
当該包装資材セットにおいて、段ボール箱用シートは、Ａ式以外の形式の段ボール箱を構成するものであってもよい。
【産業上の利用可能性】
【００６０】
上述のように、本発明の仕切体用シート及び包装資材は、瓶等の複数の物品を互いに接触しないように収容する包装体に好適に利用できる。
【符号の説明】
【００６１】
１  仕切体用シート
２  第１仕切形成部
３  第２仕切形成部
４，５，６  底形成部
２ａ，３ａ  第１仕切領域
２ｂ，３ｂ  第２仕切領域
２ｃ，３ｃ  第３仕切領域
２ｄ，３ｄ  第４仕切領域
２ｅ，３ｅ  第５仕切領域
７  フラップ
８  罫線
９  係合片
１０  スリット
１１  第１舌片
１２  第２舌片
１３  第３舌片
２０  段ボール箱用シート
２１，２２，２３，２４  周壁
２５，２６，２７，２８  蓋フラップ
２９，３０  底フラップ
【図１】
2017222411.tif 000003
【図２】
2017222411.tif 000004
【図３】
2017222411.tif 000005
【図４】
2017222411.tif 000006
【図５】
2017222411.tif 000007
【図６】
2017222411.tif 000008
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
１枚の段ボールシートからなり、
縦方向に略対称に配設され、複数の折り曲げ容易線によって横方向に５つの仕切領域に区分される第１仕切形成部及び第２仕切形成部と、
上記第１仕切形成部及び第２仕切形成部の横方向奇数位置の仕切領域間を接続する３つの底形成部と、
を備える仕切体用シートであって、
上記第１仕切形成部の横方向両端の仕切領域が、第２仕切形成部の対向する仕切領域に向かって折り曲げ可能なフラップを有し、
上記フラップが、上記仕切領域の底形成部と反対側の部分を隣接する仕切領域から分離して折り曲げ可能としたものであり、
上記フラップの先端に縦方向に突出する係合片が形成され、
上記第２仕切形成部の横方向両端の仕切領域に、横方向に伸び、上記係合片が係合可能なスリットが形成されていることを特徴とする仕切体用シート。
【請求項２】
中央の上記底形成部が、第１仕切形成部側に偏重して横方向両側に突出する１対の第１舌片を有し、
両端の上記底形成部が、第２仕切形成部側に偏重して横方向内側に突出する第２舌片と、第１仕切形成部側に突出する第３舌片とを有する請求項１に記載の仕切体用シート。
【請求項３】
上記係合片が第１仕切形成部の横方向両端部に形成され、上記スリットが第２仕切形成部の側方に開口する請求項１又は請求項２に記載の仕切体用シート。
【請求項４】
上記第２仕切形成部の両端の仕切領域の底形成部と反対側の部分が、第１仕切形成部と同様に係合片を有するフラップとされ、
上記第１仕切形成部に第２仕切形成部と同様のスリットが形成され、
上記フラップの基端縁が罫線によって画定され、
上記スリットの底形成部と反対側の側縁が上記罫線の延長線上に形成されている請求項１、請求項２又は請求項３に記載の仕切体用シート。
【請求項５】
請求項１から請求項４のいずれか１項に記載の仕切体用シートと、
上記仕切体用シートを組み立てた仕切体を収容可能な段ボール箱に組み立て可能な段ボール箱用シートとを備える包装資材セット。